(57)【要約】【課題】  画像形成に関する各種設定や画面表示における操作性の向上を図る。【解決手段】  ユーザによってＬＣＤ画面上に表示された操作画面上の釦を押下して画像形成に関する機能情報が設定される（ステップＳ１）。各種機能項目に対する機能情報が設定された後、設定終了釦が押下操作された場合（ステップＳ２；Ｙｅｓ）、設定された機能情報の一覧画面と出力イメージの動画像とがＬＣＤ画面に表示される（ステップＳ３）。ユーザによってＬＣＤ画面上に表示された機能情報の一覧画面と出力イメージの動画像とが確認される。表示された一覧画面の内容及び出力イメージでコピー出力する場合、コピースタート釦が押下されると（ステップＳ４；Ｙｅｓ）コピーが開始される（ステップＳ５）。【選択図】  図４
2005111828.tif 000002
【特許請求の範囲】
【請求項１】
画像形成に関連する機能の設定入力を行うための入力手段と、前記入力手段により設定入力された機能情報を表示画面上に表示する表示手段と、を備えた画像形成装置において、
前記入力手段により設定入力された機能情報を、当該機能情報ごとに表示領域に割り当てて前記表示手段の表示画面上に分割表示させる制御手段を備えること、
を特徴とする画像形成装置。
【請求項２】
請求項１に記載の画像形成装置において、
前記入力手段によって設定入力された機能情報を設定された順番に記憶する記憶手段を備え、
前記制御部は、設定された順番に識別番号が付加された前記機能情報を表示手段の表示画面上に表示させること、
を特徴とする画像形成装置。
【請求項３】
請求項１又は２に記載の画像形成装置において、
前記制御手段は、前記表示画面上に表示された機能情報から前記入力手段の操作に基づいて機能情報の詳細設定情報を前記表示画面上に表示すること、
を特徴とする画像形成装置。
【請求項４】
請求項２記載の画像形成装置において、
前記制御手段は、前記識別番号に対応した入力手段からの操作に基づいて、識別番号が付加された機能情報の詳細設定情報を前記表示画面上に表示すること、
を特徴とする画像形成装置。
【請求項５】
請求項３又は４記載の画像形成装置において、
前記表示画面上に表示された詳細設定情報から前記入力手段の操作に基づいて、詳細設定情報が設定入力されること、
を特徴とする画像形成装置。
【請求項６】
請求項１から５のいずれか一項に記載の画像形成装置において、
前記制御手段は、前記記憶手段に記憶されている前記機能情報に基づいて画像形成される出力状態のイメージの動画像を前記表示画面上に表示すること、
を特徴とする画像形成装置。
【請求項７】
請求項１から６のいずれか一項に記載の画像形成装置において、
前記入力手段により操作された操作画面を直前の操作画面に戻す後退手段を備え、
前記制御手段は、前記後退手段が操作された回数前の操作画面を前記表示画面上に表示すること、
を特徴とする画像形成装置。
【請求項８】
請求項１から７のいずれか一項に記載の画像形成装置において、
前記入力手段によって設定された機能情報を全て解除する設定解除手段を備え、
前記制御手段は、前記設定解除手段が操作された場合、機能情報の解除を行う可否を問う設定解除確認画面を前記表示画面上に表示すること、
を特徴とする画像形成装置。
【請求項９】
請求項８記載の画像形成装置において、
前記制御手段は、前記機能情報の設定途中に前記設定解除手段が操作された場合、前記設定解除手段の操作有効又は無効を問う操作確認画面を前記表示画面上に表示すること、
を特徴とする画像形成装置。
【発明の詳細な説明】
【技術分野】
【０００１】
本発明は、操作部と表示部を備えた画像形成装置に関する。
【背景技術】
【０００２】
ディジタル複写機、プリンタ及び複合機等の画像形成装置は、多機能化、高機能化が進み、画像形成に関する設定可能な機能項目が多岐にわたり、操作表示部上には多くの操作画面が表示され、多くの各種操作釦が設置されている。ユーザはタッチパネル、テンキー等の各種操作釦を操作することにより、表示部上の操作画面の情報に基づいて、画像形成に関する各機能項目の機能情報を確認、設定及び変更することができる。
しかし、画像形成装置の機能向上に伴い、設定可能な機能項目が多くなり、限られた表示画面上では全ての機能項目についての機能情報を１画面で表示することが難しいため、各機能項目の操作画面を複数の階層で構成し、複数の画面を切り替えることで表示している。そのため、ユーザは所望の設定を行う場合、多くの画面を切り替えて設定しなければならない。
また、画像形成装置は、コピー、ファクシミリ、プリント等の複数のジョブを受け付けることが可能である。そのため、ユーザは、どのユーザが発行したどの種類のジョブが実行されているのか、及び、自分が発行したジョブの状況はどうなっているのか等のジョブの状況を確認することが難しくなっていた。
【０００３】
この点に関し、特許文献１には、画像メモリに記憶される入力された画像形成ジョブの実行状況と、履歴記憶部に記憶される過去に行われた画像形成ジョブの実行履歴とを、操作部のタッチパネルに一覧表示を行い、指示手段により一括指示された画像形成ジョブに所定の処理を施す画像形成装置が開示されている。
【特許文献１】特開２０００−２９６４４号公報
【発明の開示】
【発明が解決しようとする課題】
【０００４】
しかしながら、特許文献１に開示されたものは、ジョブに対する実行履歴や実行状況を把握するためのものであって、各ジョブに設定された機能情報を確認することや設定された機能情報を変更することが困難である。
画像形成に関連する機能を確認する場合、各機能項目に対する機能情報の操作画面は複数の階層を有しているため、各機能項目の各階層の操作画面を選択して確認しなければならない。設定された機能情報は、多くの操作画面を切り替えて確認するため、確認作業が非常に困難であり、手間がかかるという問題点がある。
また、機能情報を変更する場合、機能項目の選択を行う操作画面から変更する機能項目を選択し、更に選択された機能項目の機能情報の選択を行う操作画面を選択し再度変更を行うため、非常に手間がかかる。
更に、機能情報を解除する場合、機能項目の選択を行う操作画面から解除する機能項目を選択し、更に選択された機能項目の機能情報の選択を行う操作画面を選択し解除を行うか、又は、全ての機能情報を解除してから再度設定し直すため、手間がかかる。
全ての機能情報を解除する場合、解除指示操作を行うと無条件に機能情報が全て解除されてしまうため、誤って解除指示操作を行った場合などは、初めから再度設定し直さなければならず、時間と手間がかかる。
【０００５】
このように画像形成に関する機能情報の設定終了後に、機能情報の確認や変更を行う場合には、度重なる画面の切り替え操作を行い設定しなければならなかったため、ユーザにとって使い勝手のよいものではなかった。
【０００６】
本発明の課題は、画像形成に関連する機能を設定する場合の操作性の向上を図り得る画面表示制御技術を提供することである。
【課題を解決するための手段】
【０００７】
請求項１に記載の発明は、画像形成に関連する機能の設定入力を行うための入力手段と、前記入力手段により設定入力された機能情報を表示画面上に表示する表示手段と、を備えた画像形成装置において、前記入力手段により設定入力された機能情報を、当該機能情報ごとに表示領域に割り当てて前記表示手段の表示画面上に分割表示させる制御手段を備えること、を特徴としている。
【０００８】
請求項２に記載の発明は、請求項１に記載の画像形成装置において、前記入力手段によって設定入力された機能情報を設定された順番に記憶する記憶手段を備え、前記制御部は、設定された順番に識別番号が付加された前記機能情報を表示手段の表示画面上に表示させること、を特徴としている。
【０００９】
請求項３に記載の発明は、請求項１又は２に記載の画像形成装置において、前記制御手段は、前記表示画面上に表示された機能情報から前記入力手段の操作に基づいて機能情報の詳細設定情報を前記表示画面上に表示すること、を特徴としている。
【００１０】
請求項４に記載の発明は、請求項２記載の画像形成装置において、前記制御手段は、前記識別番号に対応した入力手段からの操作に基づいて、識別番号が付加された機能情報の詳細設定情報を前記表示画面上に表示すること、を特徴としている。
【００１１】
請求項５に記載の発明は、請求項３又は４記載の画像形成装置において、前記表示画面上に表示された詳細設定情報から前記入力手段の操作に基づいて、詳細設定情報が設定入力されること、を特徴としている。
【００１２】
請求項６に記載の発明は、請求項１から５のいずれか一項に記載の画像形成装置において、前記制御手段は、前記記憶手段に記憶されている前記機能情報に基づいて画像形成される出力状態のイメージの動画像を前記表示画面上に表示すること、を特徴としている。
【００１３】
請求項７に記載の発明は、請求項１から６のいずれか一項に記載の画像形成装置において、前記入力手段により操作された操作画面を直前の操作画面に戻す後退手段を備え、前記制御手段は、前記後退手段が操作された回数前の操作画面を前記表示画面上に表示すること、を特徴としている。
【００１４】
請求項８に記載の発明は、請求項１から７のいずれか一項に記載の画像形成装置において、前記入力手段によって設定された機能情報を全て解除する設定解除手段を備え、前記制御手段は、前記設定解除手段が操作された場合、機能情報の解除を行う可否を問う設定解除確認画面を前記表示画面上に表示すること、を特徴としている。
【００１５】
請求項９に記載の発明は、請求項８記載の画像形成装置において、前記制御手段は、前記機能情報の設定途中に前記設定解除手段が操作された場合、前記設定解除手段の操作有効又は無効を問う操作確認画面を前記表示画面上に表示すること、を特徴としている。
【００１６】
ここで、上記した画像形成に関連する機能とは、片面／両面コピー、濃度選択等の画像形成機能に加えて、ソーティング、ステイプリング、パンチング等の後処理機能を含む意である。
【発明の効果】
【００１７】
請求項１に記載の発明によれば、機能情報ごとに表示領域に割り当てて表示手段の表示画面上に分割表示されることにより、設定入力された機能情報を容易に確認することができる。
【００１８】
請求項２に記載の発明によれば、請求項１と同様の効果を得られるのは勿論のこと機能情報が設定された順番に識別番号が付加されていることにより、設定順序に基づいて設定された内容を容易に確認することができる。
【００１９】
請求項３に記載の発明によれば、請求項１又は２と同様の効果を得られるのは勿論のこと、表示画面上に表示された機能情報から、変更したい機能情報の詳細設定情報が表示されることにより、多くの操作画面を操作する事無く容易に機能情報の詳細設定情報を確認することができる。
【００２０】
請求項４に記載の発明によれば、請求項２と同様の効果を得られるのは勿論のこと、機能情報に付加された認識番号に対応する入力手段を操作し、変更したい機能情報の詳細設定情報が表示されることによって、多くの操作画面を操作する事無く容易に機能情報の詳細設定情報を確認することができる。
【００２１】
請求項５に記載の発明によれば、請求項３又は４と同様の効果を得られるのは勿論のこと、表示画面上に表示された詳細設定情報を再度設定入力することができ、多くの操作画面を操作する事無く容易に機能情報を変更することができる。
【００２２】
請求項６に記載の発明によれば、請求項１から５と同様の効果を得られるのは勿論のこと、出力イメージが動画像で表示されることにより、ユーザは視覚的に機能情報を明確に認識することができる。
【００２３】
請求項７に記載の発明によれば、請求項１から６と同様の効果を得られるのは勿論のこと、後退手段により所望の操作画面に戻すことができるため、多くの操作画面を操作することなく所望の機能情報の変更及び削除することができ、操作性が向上される。
【００２４】
請求項８に記載の発明によれば、請求項１から７と同様の効果を得られるのは勿論のこと、設定解除手段が操作された場合、設定解除を行う可否を問う設定解除確認画面が表示手段に表示されることにより、無条件に機能情報が全て解除されることが無くなり、誤って機能情報を解除してしまうことを防ぐことができる。
【００２５】
請求項９に記載の発明によれば、請求項８と同様の効果を得られるのは勿論のこと、機能情報の設定途中に、設定解除手段が操作された場合、設定解除手段の操作有効又は無効の操作確認画面が表示手段に表示されることにより、設定途中に無条件に機能情報が解除されることが無くなり、設定途中の機能情報の消失を防ぐことができる。
【発明を実施するための最良の形態】
【００２６】
以下、図を参照して本発明の実施の形態を詳細に説明する。
まず、構成を説明する。
図１は、本発明を実施するための最良の形態における画像形成装置１の制御構成のブロック図を示す。
図１に示すように、画像形成装置１は、本体１００と操作表示部２００等とを備えている。本体１００と操作表示部２００とは、信号線２１を介して表示制御信号、操作信号等がシリアル通信方式によって送受信可能である。
【００２７】
本体１００は、制御手段としての本体ＣＰＵ（Central Processing Unit）１１０、ＲＯＭ（Read Only Memory）１２０、ＲＡＭ（Random Access Memory）１３０、記憶手段としての不揮発ＲＡＭ１４０、画像読取部１５０、画像形成部１６０、転写部１７０、後処理部１８０、通信制御部１９０、シリアル通信制御部３１０等により構成されており、各部はバス３０１により接続されている。
【００２８】
本体ＣＰＵ１１０は、ＲＯＭ１２０に記憶されている画像形成装置１を制御するためのシステムプログラム及びデータをＲＡＭ１３０に読み出して、読み出したプログラムとの協働により、画像形成装置１全体の制御を行う。また、本体ＣＰＵ１１０は、ＲＯＭ１２０及び不揮発ＲＡＭに記憶されている各種処理プログラム及びデータをＲＡＭ１３０に展開し、この各種処理プログラム及びデータとの協働により、操作表示部２００から入力される操作信号や通信制御部１９０を介して入力されるデータに応じて各種処理を実行する。
【００２９】
本発明を実現させるために、本体ＣＰＵ１１０は、選択された機能項目や機能情報に対する詳細な設定を可能にする場合、操作表示部２００から入力された押下位置の操作信号に基づいて、ＲＯＭ１２０内の画面格納部から合致する内容の詳細設定情報を表示させるための詳細設定画面を読み出して、選択された機能項目や機能情報の詳細な設定を行うための詳細設定画面が表示されるための画面情報信号を操作表示部２００に出力する。
【００３０】
設定終了釦が押下された場合、本体ＣＰＵ１１０は、操作表示部２００から入力された押下位置の操作信号に基づいて、不揮発ＲＡＭ１４０内に記憶されている設定履歴と複数の機能情報を読み出して、機能情報の一覧画面と機能情報に基づいた出力イメージの動画像とを表示するための画面情報信号を操作表示部２００に出力する。
【００３１】
バックステップ釦が押下された場合、本体ＣＰＵ１１０は、操作表示部２００から入力された押下位置の操作信号に基づいて、不揮発ＲＡＭ１４０内に記憶されている設定履歴と機能情報を読み出して、バックステップ釦が押下操作された回数前の操作画面を示す画面情報信号を操作表示部２００に出力する。
【００３２】
リセット釦が押下された場合、本体ＣＰＵ１１０は、操作表示部２００から入力された押下位置の操作信号に基づいて、ＲＯＭ１２０内の画面格納部から操作確認画面、又は、設定解除確認画面を読み出して、リセット釦の操作を有効又は無効にする可否を問うための操作確認画面、又は、操作表示部２００により設定された機能情報の解除を行う可否を問うための設定解除確認画面を表示するための画面情報信号を操作表示部２００に出力する。
【００３３】
また、本体ＣＰＵ１１０は、ＲＯＭ１２０に記憶されている各種処理プログラムに従い、ユーザが操作表示部２００のタッチパネル２６０又は各種操作釦２７０を押下することによる操作信号に応じて画像読取部１５０のコンタクトガラス上に載置された原稿を複写する複写処理、ネットワークＮを介して外部機器から送信されたデータを受信して、受信されたデータに基づいて印刷出力するプリント処理、画像読取部１５０のコンタクトガラス上に載置された原稿を読み取って、読み取った画像データをネットワークＮを介して外部機器に出力するスキャナ処理等を行う。
【００３４】
ＲＯＭ１２０は、不揮発性の半導体メモリ等により構成され、画像形成装置１に対応するシステムプログラム、及び該システムプログラム上で実行可能な各種処理プログラム等を記憶する。
また、本発明を実現するために、画面格納部を有し、詳細設定画面、操作確認画面、設定解除確認画面などのＬＣＤ画面２５０上に表示される情報としての操作画面、即ち、タッチパネル２６０及び各種設定釦２７０からの操作信号に対して、合致する内容の操作画面を形成するためのデータが格納されている。
なお、画面格納部は、不揮発ＲＡＭ１４０内に備えられていてもよい。
【００３５】
ＲＡＭ１３０は、本体ＣＰＵ１１０により実行制御される各種処理において、ＲＯＭ１２０から読み出されたプログラム、入力、若しくはデータ及びパラメータ等の一時的な格納領域となる。
【００３６】
不揮発ＲＡＭ１４０は、本体ＣＰＵ１１０からの制御により、タッチパネル２６０及び各種操作釦２７０から設定された機能情報と機能情報が設定された順番等の設定履歴などを記憶する。
【００３７】
シリアル通信制御部３１０は、本体１００と操作表示部２００との間でのシリアル通信による制御信号、操作信号等の入出力を制御する。
【００３８】
画像読取部１５０は、原稿を載置するコンタクトガラスの下部にスキャナを備えて構成され、原稿の画像を読み取る。スキャナは、光源、ＣＣＤ（Charge Coupled Device）等により構成され、光源から原稿へ照明走査した光の反射光を結像して光電変換することにより原稿の画像を読み取り、読み取った画像を画像形成部１６０に出力する。ここで、画像は、図形や写真等のイメージデータに限らず、文字や記号等のテキストデータ等も含む。
【００３９】
画像形成部１６０は、画像読取部１５０から入力された画像、及び通信制御部１９０により受信された画像に対して、操作表示部２００からの入力指示、あるいは通信制御部１９０から受信したデータに含まれる指示データに従って拡大縮小、回転、及び位置変更等の画像処理を施して、その画像処理した画像を転写部１７０に出力する。
【００４０】
転写部１７０は、感光ドラム、トナー、排出部、給紙部などを備えて構成され、本体ＣＰＵ１１０からの印刷指示に従って、操作表示部２００から入力指示された、あるいは通信制御部１９０から受信したデータに含まれる指示データにより指示されたサイズと向きの記憶材を給紙部から搬送して、感光ドラム表面に、画像形成部１６０から入力された画像の静電潜像を形成する。更に転写部１７０は、感光ドラム表面の静電潜像を含む領域にトナーを付着させ、給紙部から搬送される記憶材にトナーを転写して定着させた後、排出部から排出する。
【００４１】
後処理部１８０は、転写部１７０から排出された記憶材に対してソーティング、ステープリング、パンチング等の後処理を行う。
【００４２】
通信制御部１９０は、モデム、ＴＡやルータ等によって構成され、ネットワークＮに接続された外部機器との通信の制御を行う。
【００４３】
操作表示部２００は、制御手段としての操作表示部ＣＰＵ２１０、ＲＯＭ２２０、ＲＡＭ２３０、シリアル通信制御部３２０、コントローラ２５１、表示手段としてのＬＣＤ（Liquid Crystal Display）画面２５０、入力手段としてのタッチパネル２６０と各種設定釦２７０とを備えており、内部はバス３０２により接続されている。
【００４４】
操作表示部ＣＰＵ２１０は、タッチパネル２６０及び各種操作釦２７０によって押下された押下位置の操作信号を、シリアル通信制御ユニット３２０を介して本体１００へ出力する。また、本体ＣＰＵ１１０からの各種制御信号により、ＲＯＭ２２０に記憶されている制御プログラム、各種処理プログラムをＲＡＭ２３０に読み出し、読み出したプログラムに従って操作表示部２００における操作制御及び表示制御を行う。
【００４５】
本発明を実現させるために、選択された機能項目や機能情報の詳細な設定を可能にする場合、操作表示部ＣＰＵ２１０は、タッチパネル２６０上の機能項目釦、一覧画面上の機能情報釦又は機能情報に対応した番号のテンキーが押下された押下位置の操作信号を、本体１００に出力する。本体１００が操作信号に基づいてＬＣＤ画面２５０上に表示すべき画像情報信号を形成し操作表示部２００に出力すると、本体１００から入力された画面情報信号に基づいて、詳細設定画面をＬＣＤ画面２５０上に表示させる。
【００４６】
設定終了釦が押下された場合、操作表示部ＣＰＵ２１０は、各種設定釦２７０の設定終了釦が押下された押下位置の操作信号を、本体１００に出力する。本体１００が操作信号に基づいてＬＣＤ画面２５０上に表示すべき画像情報信号を形成し操作表示部２００に出力すると、本体１００から入力された画面情報信号に基づいて、機能情報の一覧画面と出力イメージの動画像とをＬＣＤ画面２５０上に表示させる。
【００４７】
バックステップ釦が押下された場合、操作表示部ＣＰＵ２１０は、各種設定釦２７０のバックステップ釦が押下された押下位置の操作信号を、本体１００に出力する。本体１００が操作信号に基づいてＬＣＤ画面２５０上に表示すべき画像情報信号を形成し操作表示部２００に出力すると、本体１００から入力された画面情報信号に基づいて、バックステップ釦が押下された回数前の操作画面をＬＣＤ画面２５０上に表示させる。
【００４８】
リセット釦が押下された場合、操作表示部ＣＰＵ２１０は、リセット釦が押下された押下位置の操作信号を、本体１００に出力する。本体１００が操作信号に基づいてＬＣＤ画面２５０上に表示すべき画像情報信号を形成し操作表示部２００に出力すると、本体１００から入力された画面情報信号に基づいて、操作確認画面又は設定解除確認画面をＬＣＤ画面２５０上に表示させる。
【００４９】
ＲＯＭ２２０は、不揮発性の半導体メモリ等により構成され、操作表示部２００に対応する各種制御プログラム、処理プログラム等を記憶する。
【００５０】
ＲＡＭ２３０は、操作表示ＣＰＵ２１０により実行制御される各種処理において、ＲＯＭ２２０から読み出されたプログラム、入力、若しくは出力データ及びパラメータ等の一時的な格納領域となる。
【００５１】
シリアル通信制御部３２０は、本体１００と操作表示部２００との間でのシリアル通信による制御信号、操作信号等の入出力を制御する。
【００５２】
コントローラ２５１は、操作表示ＣＰＵ２１０から入力される表示信号の指示に従って、ＬＣＤ画面２５０を駆動制御して、ＬＣＤ画面２５０上に各種操作画面を表示させる。
ＬＣＤ画面２５０は、コントローラ２５１に駆動制御され、画像形成装置１の状態表示、各機能の動作状況等の表示を行う。
【００５３】
タッチパネル２６０は、ＬＣＤ画面２５０の表示画面上に透明電極を格子状に配置して構成された感圧式（抵抗膜圧式）のタッチパネルであり、手指やタッチペン等で押下された力点のＸＹ座標を電圧値で検出し、検出された位置信号を操作信号として操作表示部ＣＰＵ２１０に出力する。なお、タッチパネル２６０は、感圧式に限らず、他の静電式、光式等であってもよい。
【００５４】
各種操作釦２７０は、本発明を実現するための各種機能項目の設定終了時に押下されることにより画像形成の機能情報の一覧画面を表示するための設定終了釦、直前の操作画面に戻すための後退手段としてのバックステップ釦、設定された機能情報を全て解除する設定解除手段としてのリセット釦を備えている。
また、図２の操作表示部２００に示すように、画像形成装置１に関する各種操作を行うための釦を複数備えている。これらの釦の操作信号を操作表示部ＣＰＵ２１０に出力する。
【００５５】
図２は、図１に示した操作表示部２００の外観構成図である。
図２に示すように、操作表示部２００は、ＬＣＤ画面２５０上に設置されたタッチパネル２６０と各種操作釦２７０とが、画像形成装置１のユーザの使い勝手のよい位置に設置されている。
【００５６】
図２において、２０１は電源スイッチであり、画像形成装置１への通電がＯＮ／ＯＦＦされる。
各種操作釦２７０には、設定終了釦２８１、バックステップ釦２８２、リセット釦２８３を備えている。
また、２７１はコピースタート釦であり、コピーを開始するときに押下する釦である。２７２はストップ釦であり、コピーを中断したり、中止したりするときに押下する釦である。２７３はパワーセーブ釦であり、長時間使用しないときに節電モードに切り替える釦である。２７４は割込み釦であり、コピー動作順序を割込みする釦である。２７５は確認コピー釦であり、コピー中に割込みして他のコピーを実行したいときに押下するための釦である。２７６はテンキーであり、数値の入力を行うときに使用する釦群である。２７７はクリア釦であり、数値をクリアするときに押下する。２７８はヘルプ釦であり、各機能の説明を表示させるために押下する。２７９は設定確認釦である。その他画像形成装置１に関する釦が備えられていてもよく、この限りではない。
【００５７】
図３は、ＬＣＤ画面２５０上に表示される基本画面Ｇ０の一例を示す。
図３に示す基本画面Ｇ０は、画像形成装置１の標準的な仕様における各種の機能項目の表示及び機能項目の入力を受けるための画面である。タッチパネル２６０上の釦又は各種操作釦２７０が押下されることにより、該当する機能項目に関する操作画面がＬＣＤ画面２５０上に表示される。なお、図３に示す基本画面Ｇ１は、予め基本機能情報として設定されている機能項目の釦が反転表示されている。
【００５８】
基本画面Ｇ０は、メッセージエリア１０、画質／ローテーション表示エリア２０、プリント枚数／設定枚数表示エリア３０、ジョブリストを表示するためのフォルダボタン４０、出力選択エリア５０、画面設定エリア６０、応用設定エリア７０を有する。
【００５９】
メッセージエリア１０は、「コピーできます。」、「原稿をセットしてください。」、「コピー設定できます。原稿セットはお待ち下さい。」等のユーザに対する指示や、画像形成装置１の状態の説明が表示される。
【００６０】
画質／ローテーション表示エリア２０は、ノーマル、ファイン、スーパーファイン等の画質の表示及び画像の回転がアイコンで表示される。
プリント枚数／設定枚数表示エリア３０は、プリント枚数及び設定枚数が表示される。
【００６１】
フォルダボタン４０は、５個のジョブの状況、即ち、出力中（出力ＪＯＢ）、予約済ジョブ（予約ＪＯＢ）、予約設定中のジョブ（設定ＪＯＢ）、読み込み中のジョブ（読込ＪＯＢ）、空いているジョブ（空きＪＯＢ）が表示されている。
【００６２】
出力選択エリア５０は、プリント出力時の種類を選択するエリアである。出力選択エリア５０内には機能項目の釦として、ステイプル位置を選択するためのステイプル選択釦５１、パンチ、中折、Ｚ折り、グルーピング等の機能を選択するための応用出力釦５２、ソートしてステイプルする出力モードのためのステイプル／ソート釦５３、ソートを選択するためのソート釦５４を有している。
【００６３】
画面設定エリア６０は、片面か両面かを選択するための片面／両面選択エリア６１、画像濃度を設定するためのコピー濃度エリア６２、複写倍率を設定するための倍率エリア６３、記録材のサイズを選択するためのサイズ選択エリア６４が表示されている。画面設定エリア６０内のエリア毎に機能項目の釦が備えられている。
【００６４】
応用設定エリア７０は、機能項目の釦としての、応用機能ボタン７１、画像の回転を設定するためのローテーションボタン７２、原稿設定ボタン７３、原稿読取りボタン７４を有している。
【００６５】
図４に、設定終了釦２８１が押下された場合の操作フローを示す。
ユーザによってＬＣＤ画面２５０上に表示されている機能項目の釦が押下され、押下された機能項目の釦の各種操作画面がＬＣＤ画面２５０上に表示される。ＬＣＤ画面２５０上に表示された操作画面上の釦を押下して画像形成に関する機能情報が設定される（ステップＳ１）。
【００６６】
各種機能項目に対する機能情報が設定された後、設定終了釦２８１が押下操作された場合（ステップＳ２；Ｙｅｓ）、設定された機能情報の一覧画面と出力イメージの動画像とがＬＣＤ画面２５０上に表示される（ステップＳ３）。
【００６７】
ユーザは、ＬＣＤ画面２５０上に表示された機能情報の一覧画面と出力イメージの動画像とを確認し、表示された機能情報でコピー出力する場合、コピースタート釦２７１が押下操作されると（ステップＳ４；Ｙｅｓ）、コピーが開始される（ステップＳ５）。
【００６８】
このように、機能情報の一覧画面と出力イメージの動画像がＬＣＤ画面２５０上に表示されることにより、ユーザは設定された機能情報の内容を容易に確認することができる。
【００６９】
図５に、図４中のＡに示すＬＣＤ画面２５０上に機能情報の一覧画面が表示された場合の詳細設定画面の表示を行う動作フローの一例を示す。
機能情報の一覧画面が表示された場合（ステップＳ１１；Ｙｅｓ）、一覧画面上の複数の機能情報から、変更及び確認したい機能情報の釦（例えば、図６のステイプル欄の反転表示された「一ヶ所」という釦）が選択され押下される（ステップＳ１２；Ｙｅｓ）。選択された機能情報の詳細設定情報を表す詳細設定画面Ｇ１２がポップアップ表示される（ステップＳ１３）。
ユーザは、ポップアップ表示された詳細設定画面Ｇ１２に基づいて機能情報を変更及び確認することができる。
【００７０】
図６に、設定終了釦２８１が押下されたときのＬＣＤ画面２５０に表示される画面の一例を示す。図６において、Ｇ１０は、各機能情報を同一画面内の複数の領域に分割配置して表示した一覧画面の例である。このＧ１０において、設定された機能条件は、白黒反転させて黒色で表示されている。Ｇ１１は、設定された機能情報に基づいてコピー出力される出力状態のイメージ例を示す。Ｇ１２は、反転表示された機能情報（ステイプル欄の「１ヶ所」という釦）が選択されたとき、ステイプルの位置を表す詳細設定画面がポップアップ表示されたときの一例である。
【００７１】
図７に、図６におけるコピー出力状態のイメージＧ１１の詳細を示す。
図７に示すように、コピー出力状態のイメージＧ１１は、機能情報に基づいてコピー出力される状態を動画的なイメージで表示される。図７（ａ）は記録材の表面側のコピー出力のイメージ、（ｂ）は裏面側のコピー出力のイメージを示しており、適当な時間間隔で表示画像を交互に１８０°回転させると共に、回転マークＭを表示することにより、コピー出力のイメージＧ１１を動きのある映像として表現している。図７（ａ）（ｂ）に示す出力イメージＧ１１は、印刷の向きを縦とした長辺とじの両面印刷であり、ステイプル位置Ｓを左上に一ヶ所、左綴じにパンチ孔Ｐの穿孔を行うことが視覚的に表現されている。
【００７２】
機能情報の一覧画面Ｇ１０から、変更したい機能情報の詳細設定画面Ｇ１２が表示されるため、多くの操作画面を操作する事無く、容易に機能情報を変更することができる。また、出力イメージＧ１１が動画像で表示されることにより、ユーザは視覚的に複数の機能情報を明確に認識することができる。
【００７３】
図８に、図５の他の例として、図４中のＢに示すＬＣＤ画面２５０上に機能情報の一覧画面が表示された場合の詳細設定画面の表示を行う動作フローの一例を示す。
機能情報の一覧画面が表示された場合（ステップＳ２１；Ｙｅｓ）、一覧画面上に表示されている機能情報毎に付加されている識別番号から、変更及び確認したい機能情報に対応する識別番号の釦（例えば、図９の「ステイプル１ヶ所」という機能情報に対応する「４」のテンキー２７６）が選択され押下される（ステップＳ２２；Ｙｅｓ）。押下された識別番号の釦に対応する機能情報の詳細条件を表す詳細設定画面Ｇ１２がポップアップ表示される（ステップＳ２３）。
ユーザは、機能情報に対応する識別番号の釦を押下することにより、ポップアップ表示された詳細設定画面Ｇ１２に基づいて機能情報を変更及び確認することができる。
【００７４】
図９に、図６の他の例として、設定終了釦２８１が押下されたときのＬＣＤ画面２５０に表示される画面の一例を示す。
図９のＧ２０は、識別番号が付加された機能情報の一覧画面を表形式で表示した例を示す。Ｇ２０ａは、設定された順番に機能情報に付加された識別番号群である。Ｇ２０ｂは、付加された識別番号に対応する機能情報群である。
Ｇ１１は、設定された機能情報に基づいて形成される出力イメージを示す。Ｇ１２は、選択された番号（例えば、「ステイプル１ヶ所」に付加された識別番号「４」）に対応するテンキー２７６が押下されたとき、ステイプルの位置を表す詳細設定画面の一例である。
【００７５】
複数の機能情報に付加された識別番号に対応するテンキー２７６を操作することにより、変更したい機能情報の詳細設定画面Ｇ１２が表示されるため、多くの操作画面を操作する事無く、容易に機能情報を変更することができる。
また、識別番号とテンキー２７６とを対応付けて操作を行う事が、ユーザにとってわかりやすく好ましいが、必ずしもテンキー２７６でなくてもよい。
【００７６】
図１０に、識別番号が付加された機能情報の一覧画面の他の例を示す。Ｇ３０ａは、設定された順番に機能情報に付加された識別番号群である。Ｇ３０ｂは、付加された識別番号に対応する機能情報群である。
【００７７】
図１１に、識別番号が付加された機能情報の一覧画面の他の例を示す。Ｇ４０ａは、設定された順番に機能情報に付加された識別番号群である。Ｇ４０ｂは、付加された識別番号に対応する機能情報群である。
図６、９、１０に示す機能情報の一覧画面は、基本画面Ｇ０上に表示されていてもよく、また、図１１に示すように、表示画面上に一覧画面Ｇ４０と、コピー出力のイメージＧ１１と、縮小された基本画面Ｇ０とを表示画面上に表示されていてもよい。
【００７８】
なお、機能情報の一覧画面は、図６のＧ１０又は図９のＧ２０、図１０のＧ３０、図１１のＧ４０の他に、各機能情報を羅列して表示する方法などでもよく、機能情報の概略が簡単にわかるようにまとめたものであればこの限りではない。
【００７９】
図１２に、バックステップ釦２８２が押下された場合の動作フローを示す。
ユーザによって機能項目の機能情報の設定が行われている場合（ステップＳ３１；Ｙｅｓ）、バックステップ釦２８２が押下されたとき（ステップＳ３２；Ｙｅｓ）、本体１００内の不揮発ＲＡＭ１４０に記憶されている設定履歴及び機能情報に基づいて直前の操作画面がＬＣＤ画面２５０上に表示される（ステップＳ３３）。
【００８０】
コピースタート釦２７１が押下された場合（ステップＳ３４；Ｙｅｓ）、コピースタート釦２７１が押下される前までの機能情報に基づいてコピーが開始される。コピースタート釦２７１が押下されない場合（ステップＳ３４；Ｎｏ）、機能情報の設定処理に戻る（ステップＳ３１に戻る）。
【００８１】
従って、コピースタート釦２７１が押下されるまで、バックステップ釦２８２の押下された回数前の操作画面をＬＣＤ画面２５０上に表示することができ、押下された回数前の機能情報に戻すことができる。
【００８２】
なお、図１２に示す動作フローは、図４中の各種機能項目の設定処理中だけではなく、機能情報の一覧画面を表示した後でもよく、コピースタート釦２７１が押下されるまでの一連の動作中であればよく、この限りではない。
【００８３】
このように、バックステップ釦２８２の押下回数前の操作画面（即ち、機能情報）に戻すことができるため、多くの操作画面を操作することなく所望の機能情報の変更及び削除することができ、操作性が向上される。
【００８４】
図１３に、リセット釦２８３が押下操作された場合の動作フローを示す。
図１４に、図１３における操作確認画面Ｇ５０の一例を示す。
図１５に、図１３における設定解除確認画面Ｇ６０の一例を示す。
【００８５】
図１３に示す動作フローにおいて、各種機能項目の機能情報が設定終了後（ステップＳ４０；Ｙｅｓ）、リセット釦２８３が押下された場合（ステップＳ４４；Ｙｅｓ）、機能情報を全て解除する可否を問う設定解除確認画面Ｇ６０がＬＣＤ画面２５０上に表示される（ステップＳ４５）。
【００８６】
一方、各種機能項目の機能情報が設定終了前（ステップＳ４０；Ｎｏ）にリセット釦２８３が押下された場合（ステップＳ４１；Ｙｅｓ）、ユーザに対してリセット釦２８３の押下操作の有効又は無効を問うための操作確認画面Ｇ５０がＬＣＤ画面２５０上に表示される（ステップＳ４２）。
【００８７】
ＬＣＤ画面２５０上に操作確認画面Ｇ５０が表示された後、操作確認画面Ｇ５０上に表示されているリセット釦２８３の無効を示すＮｏ釦Ｇ５２が押下された場合（ステップＳ４３；Ｎｏ）、リセット釦２８３は無効となり設定解除処理は行われず、各種機能項目の機能情報の設定処理に戻る（ステップＳ４０の前に戻る）。
【００８８】
操作確認画面Ｇ５０上に表示されているリセット釦の有効を示すＹｅｓ釦Ｇ５１が押下された場合（ステップＳ４３；Ｙｅｓ）、リセット釦２８３は有効となり、機能情報を全て解除する可否を問う設定解除確認画面Ｇ６０がＬＣＤ画面２５０上に表示される（ステップＳ４５）。
【００８９】
ＬＣＤ画面２５０上に設定解除確認画面Ｇ６０が表示された場合、設定解除確認画面Ｇ６０上に表示されている設定解除を示すＹｅｓ釦Ｇ６１が押下されたとき（ステップＳ４６；Ｙｅｓ）、全ての機能情報の解除処理が行われる（ステップＳ４７）。設定解除確認画面Ｇ６０上に表示されている設定解除を行わないことを示すＮｏ釦Ｇ６２が押下された場合（ステップＳ４６；Ｎｏ）、設定解除の処理は行われない。
【００９０】
リセット釦が押下された場合、機能情報の設定途中にリセット釦の有効又は無効を問う操作確認画面Ｇ５０上をＬＣＤ画面上に表示することによって、設定途中に無条件に機能情報が解除されることが無くなり、設定途中の機能情報の消失を防ぐことができる。また、設定解除の可否を問う設定解除確認画面Ｇ６０をＬＣＤ画面２５０上に表示することによって、無条件に機能情報が全て解除されることが無くなり、誤って機能情報を解除してしまうことを防ぐことができる。
【図面の簡単な説明】
【００９１】
【図１】本発明を適用した画像形成装置１の制御構成を示すブロック図である。
【図２】図１に示す操作表示部２００の外観構成図である。
【図３】図２に示すＬＣＤ画面２５０上に表示される基本画面Ｇ０の一例を示す図である。
【図４】図２に示す設定終了釦２８１が押下された場合の動作フローを示す図である。
【図５】図４のＡに示す詳細設定画面の表示を行う動作フローを示す図である。
【図６】ＬＣＤ画面２５０上に表示される機能情報に一覧画面Ｇ１０と、出力イメージＧ１１と、詳細設定画面Ｇ１２の一例を示す図である。
【図７】図６に示す出力イメージＧ１１の一例を示す図である。
【図８】図４のＢに示す詳細設定画面の表示を行う動作フローを示す図である。
【図９】ＬＣＤ画面２５０上に表示される機能情報に一覧画面Ｇ２０と、出力イメージＧ１１と、詳細設定画面Ｇ１２の一例を示す図である。
【図１０】ＬＣＤ画面２５０上に表示される機能情報に一覧画面Ｇ３０と、出力イメージＧ１１との一例を示す図である。
【図１１】ＬＣＤ画面２５０上に表示される機能情報に一覧画面Ｇ４０と、出力イメージＧ１１との一例を示す図である。
【図１２】図２に示すバックステップ釦２８２が押下された場合の動作フローを示す図である。
【図１３】図２に示すリセット釦２８３が押下された場合の動作フローを示す図である。
【図１４】操作確認画面Ｇ３０の一例を示す図である。
【図１５】設定解除確認画面Ｇ４０の一例を示す図である。
【符号の説明】
【００９２】
１  画像形成装置
１０  メッセージエリア
１００  本体
１１０  本体ＣＰＵ
１２０  ＲＯＭ
１３０  ＲＡＭ
１４０  不揮発ＲＡＭ
１５０  画像読取部
１６０  画像形成部
１７０  転写部
１８０  後処理部
１９０  通信制御部
２０  画質／ローテーション表示エリア
２１  信号線
２００  操作表示部
２０１  電源スイッチ
２１０  操作表示部ＣＰＵ
２２０  ＲＯＭ
２３０  ＲＡＭ
２５０  ＬＣＤ画面
２５１  コントローラ
２６０  タッチパネル
２７０  各種操作釦
２７１  コピースタート釦
２７２  ストップ釦
２７３  パワーセーブ釦
２７４  割込み釦
２７５  確認コピー釦
２７６  テンキー
２７７  クリア釦
２７８  ヘルプ釦
２７９  設定確認釦
２８１  設定終了釦
２８２  バックステップ釦
２８３  リセット釦
３０  プリント枚数／設定枚数表示エリア
３０１、３２０  バス
３１０、３２０  シリアル通信部
４０  フォルダボタン
５０  出力選択エリア
６０  画面設定エリア
６１  片面／両面選択エリア
６２  コピー濃度エリア
６３  倍率エリア
６４  サイズ選択エリア
７０  応用設定エリア
Ｇ０  基本画面
Ｇ１０、Ｇ２０、Ｇ３０、Ｇ４０  一覧画面
Ｇ１１  コピー出力のイメージ
Ｇ１２  詳細設定画面
Ｇ２０ａ、Ｇ３０ａ、Ｇ４０ａ  識別番号群
Ｇ２０ｂ、Ｇ３０ｂ、Ｇ４０ｂ  機能情報群
Ｇ５０  操作確認画面
Ｇ５１  ＹＥＳ釦
Ｇ５２  ＮＯ釦
Ｇ６０  設定解除確認画面
Ｇ６１  ＹＥＳ釦
Ｇ６２  ＮＯ釦
Ｍ  回転マーク
Ｐ  パンチ孔
Ｓ  ステイプル位置
【図１】
2005111828.tif 000003
【図２】
2005111828.tif 000004
【図３】
2005111828.tif 000005
【図４】
2005111828.tif 000006
【図５】
2005111828.tif 000007
【図６】
2005111828.tif 000008
【図７】
2005111828.tif 000009
【図８】
2005111828.tif 000010
【図９】
2005111828.tif 000011
【図１０】
2005111828.tif 000012
【図１１】
2005111828.tif 000013
【図１２】
2005111828.tif 000014
【図１３】
2005111828.tif 000015
【図１４】
2005111828.tif 000016
【図１５】
2005111828.tif 000017